(57)【要約】【課題】本発明は、雨水浸入防水板に関し、排水溝の水センサーにより、自動的に雨水の地下浸入を防止することが課題である。        【解決手段】防水板１を備えた入り口において、前記入り口と地下階２とを結ぶ坂道５の上部と下部とに設けられる両排水溝４，６にそれぞれ水センサー７，８が設置され、該水センサー７，８が制御装置に接続され、該制御装置が前記防水板１を昇降させる駆動装置と警報装置とに接続されている雨水浸入防水板１とする。【選択図】図１
2006226016.tif 000002
【特許請求の範囲】
【請求項１】
防水板を備えた入り口において、前記入り口と地下階とを結ぶ坂道の上部と下部とに設けられる両排水溝にそれぞれ水センサーが設置され、該水センサーが制御装置に接続され、該制御装置が前記防水板を昇降させる駆動装置と警報装置とに接続されていること、
を特徴とする雨水浸入防水板。
【請求項２】
坂道の上部側の排水溝には、水センサーの他に雨水の増量具合を測定する流量計が設けられていること、
を特徴とする請求項１に記載の雨水浸入防水板。
【請求項３】
坂道の上部側と下部側との両排水溝における溝蓋の下位置近傍には、水センサーが設けられ、該両水センサーの水検知により、制御装置が駆動装置を駆動させて防水板を水平状態から略直立に起立させること、
を特徴とする請求項１または２に記載の雨水浸入防水板。
【発明の詳細な説明】
【技術分野】
【０００１】
本発明は、例えば、ビルの地下階に通じる入り口に設けられる雨水浸入防水板に関するものである。
【背景技術】
【０００２】
従来、図５に示すように、集中豪雨における雨水の地下駐車場や地下室等の地下階への浸入を防止する防水板として、例えば、保管場所から平板状の防水板を取り出して、入り口の左右側壁部に立設してあるガイド部材に前記防水板を上方からガイド用凹部に嵌合させて落とし込み、水の浸入を防止するものが知られている（特許文献１参照）。
【特許文献１】特開平２００４−１６２２６０号公報
【発明の開示】
【発明が解決しようとする課題】
【０００３】
しかし、従来の雨水浸入防水板では、人が管理して人の判断で防水板を設置するようになっており、人のいない夜間においては迅速な対応が困難である。また、入り口に排水溝があっても、メンテナンスが行き届いていないと埃や土埃等によって目詰まりしてしまい、雨水がすぐに地下階に浸入してしまう。更に、前記排水溝の排水能力を超えるような豪雨の場合でも、地下階に雨水が浸入してしまうことがある。本発明に係る雨水浸入防水板は、このような課題を解決するために提案されたものである。
【課題を解決するための手段】
【０００４】
本発明に係る雨水浸入防水板の上記課題を解決して目的を達成するための要旨は、防水板を備えた入り口において、前記入り口と地下階とを結ぶ坂道の上部と下部とに設けられる両排水溝にそれぞれ水センサーが設置され、該水センサーが制御装置に接続され、該制御装置が前記防水板を昇降させる駆動装置と警報装置とに接続されていることである。
【０００５】
前記坂道の上部側の排水溝には、水センサーの他に雨水の増量具合を測定する流量計が設けられていること、；
前記坂道の上部側と下部側との両排水溝における溝蓋の下位置近傍には、水センサーが設けられ、該両水センサーの水検知により、制御装置が駆動装置を駆動させて防水板を水平状態から略直立に起立させること、；
を含むものである。
【発明の効果】
【０００６】
本発明の雨水浸入防水板によれば、地下階に通じる坂道の上部と下部とに設けられている排水溝の水センサーにより、地下階に雨水が浸入したことを、制御装置が自動的に判断して、入り口に設けた防水板を起立させる。これにより、常駐の管理人がいなくても、自動的に雨水の浸入が防止され、また、排水能力を超えた豪雨の場合や、排水溝が土埃等のゴミで目詰まりして雨水の浸入がある場合でも、自動的に防止されるものである。目詰まりの警報が集中管理センター等に発せられた場合には、ビル管理人が排水溝の掃除をする契機となり、メンテナンス性の向上になる。
【０００７】
また、前記坂道の上部側の排水溝の流量計によって、特に豪雨時においては降雨の勢いが判るので、防水板を起立させるか、排水溝が詰まっているおそれがあるとの警報にするかの判断が容易となる。
更に、防水板を起立させるタイミングも、前記坂道の上部側と下部側との両排水溝が雨水で溢れそうになると防水板を起立させるようにすることで、効率的に雨水の浸入を防止することができるようになる。  
【発明を実施するための最良の形態】
【０００８】
本発明に係る雨水浸入防水板１は、図１に示すように、地下駐車場等の地下階２を有する構造物３において、地上１階の地下入り口に設けられている。そして、この防水板１の近傍には、排水溝４があり、坂道（スロープ）５を下った地下１階の入り口にも、排水溝６がある。
【０００９】
前記坂道５の上部と下部とに設けられる両排水溝４，６に、それぞれ水センサー７，８が設置されている。この水センサー７，８は、例えば、水に浮くフロートによってスイッチがＯＮするタイプや、水によってセンサー装置の外部に露出させた端子間に電気が導通することでスイッチがＯＮするタイプ等のセンサーである。
【００１０】
前記水センサー７，８が、図示しない制御装置９（図４参照）に接続され、該制御装置９が前記防水板１を昇降させる駆動装置１０と警報装置１１とに接続されている。
【００１１】
前記坂道５の上部側の排水溝４には、図２に示すように、水センサー７の他に雨水の増量具合を測定する電磁流量計、翼車流量計等の流量計１２が配管１３の途中に設けられている。この配管１３の先に雨水枡１４があり、更に、配管１５によって雑配水槽へと排水されるようになっている。
【００１２】
図２乃至図３に示すように、防水板１は、鋼製若しくはアルミニウム製で、横幅が６〜８ｍ程度で、縦長さ（起立時の高さ）が約５０〜６０ｃｍ程度である。この防水板１の起立時には、構造物３の壁３ａ，３ｂに設けられた受け部３ｃに当接し、止水性を保つために、いずれかの当接面にゴムブッシュ１６が設けられている。
【００１３】
前記防水板１を起立させるタイミングは、図４に示すように、制御装置９によって自動的に指示するものであるが、例えば、排水溝４，６における溝蓋４ａ，６ａの下位置近傍には、前記水センサー７，８が設けられ、該水センサー７，８の水検知により、制御装置９がドライバーを介して駆動モータである駆動装置１０を駆動させて、防水板１を水平状態から略直立に起立させるようにしている。
【００１４】
このほか、地上１階における排水溝４の水センサー７が水を検知して、流量計１２が最大流量を示している場合には、図４に示すように、制御装置９から警報装置１１に指示して、地下に水が溜まるおそれがあることの警報をスピーカー１７ａやランプ１７ｂにて発する。その後、更に増水して地下階２の排水溝６の水センサー８が水を検知したならば、前記制御装置９の指示により、防水板１を起立させるようにしても良い。
【００１５】
なお、この防水板１は、停電時の緊急時においても、起立させることができるように、手動のハンドルを回すことで、その回転力がチェーンやウォーム歯車等などにより前記駆動装置１０の一部に連結される等して駆動伝達されて、起立されるものである。
【００１６】
更に、降雨時において前記水センサー７，８が水を検知せずに、流量計１２が雨水による所要の流量を計測している場合には、排水溝４の側構４ｂが土埃等によって詰まっているおそれがあるので、これも、制御装置９によって集中管理センター等に有線・無線で、目詰まりに係る特定の決められた信号を伝達するようにする。これによって、少なくとも、排水溝４の目詰まりによる雨水の溢れを防止できるので、効率的なメンテナンスを行うことができる。
【００１７】
坂道５の上部側の排水溝４において、水センサー７が水を検知せず、流量計１２も水の流量を一切検知せず、坂道５の下部側の排水溝６における水センサー８のみが水を検知して、これが数時間も継続する場合には、この排水溝６が土埃等で詰まっているおそれがあるので、この場合にも、前記制御装置９で前記集中管理センター等に有線・無線で、目詰まりに係る特定の決められた信号を伝達する。これにより、未然に地下階２に水が溢れるのを防止することができる。
【００１８】
前記防水板１を起立させた後は、前記水センサー７，８が水を検知せず、更に、流量計１２において流量がほぼゼロになった時点で、この防水板１を制御装置９の指示により、元の水平状態の位置に戻すものである。
このようにして、地下階２に通じる坂道５の上部側と下部側とにおける排水溝４，６に、それぞれ水センサー７，８を設けることで、排水溝４，６の目詰まりを知ることができてメンテナンスが容易となるとともに、更に、豪雨時の地下浸水を未然に防止することができる。
【図面の簡単な説明】
【００１９】
【図１】本発明に係る雨水浸入防水板１の実施例を示す断面図である。
【図２】同本発明の雨水浸入防水板１とその近傍の拡大詳細図である。
【図３】同防水板１を設けてある入り口の概略平面図である。
【図４】同防水板１と制御装置９等との構成を示す概略ブロック図である。
【図５】従来例に係る説明図である。
【符号の説明】
【００２０】
１          雨水浸入防水板、
２          地下階、
３          構造物、
３ａ，３ｂ  壁、                  ３ｃ          受け部、
４          排水溝、              ４ａ          溝蓋、
５          坂道、
６          排水溝、              ６ａ          溝蓋、
７，８      水センサー、
９          制御装置、
１０        駆動装置、
１１        警報装置、
１２        流量計、
１３        配管、
１４        雨水枡、
１５        配管、
１６        ゴムブッシュ、
１７ａ      スピーカー、
１７ｂ      ランプ。
【図１】
2006226016.tif 000003
【図２】
2006226016.tif 000004
【図３】
2006226016.tif 000005
【図４】
2006226016.tif 000006
【図５】
2006226016.tif 000007